(57)【要約】【課題】経時変化に対し、簡単に表示パネルのホワイトバランスを調整することができる電気光学装置を提供する。【解決手段】電気光学装置は、例えば液晶表示装置であり、液晶表示パネルなどの表示パネルと、照明装置を備える。照明装置は、３色以上の各色の光を発光する各色の半導体発光素子からなる複数の光源、及び複数の光源に電流を供給する駆動回路を有し、表示パネルに複数の光源より発光された光を透過させることにより照明する。前記駆動回路は、所定の色の光を発光する光源に供給する定電流の電流値又はパルス電流の幅を、点灯時間に対し、一定の割合で変化させることにより表示パネルのホワイトバランスを調整する。このようにすることで、光センサや電流センサといった部品を用いなくても、経時変化に対し、簡単に表示パネルのホワイトバランスを調整することができる。【選択図】図６
2007133123.tif 000002
【特許請求の範囲】
【請求項１】
表示パネルと、
３色以上の各色の光を発光する各色の半導体発光素子からなる複数の光源、及び前記複
数の光源に定電流又はパルス電流を供給する駆動手段を有し、前記表示パネルに前記複数
の光源より発光された光を透過させることにより照明する照明装置と、
前記駆動手段は、前記複数の光源の点灯時間に対し、前記複数の光源のうち、所定の色
の光を発光する光源に供給する定電流の電流値又はパルス電流の幅を、一定の割合で変化
させることにより、前記表示パネルのホワイトバランスを調整することを特徴とする電気
光学装置。
【請求項２】
前記複数の光源は、赤（Ｒ）、緑（Ｇ）、青（Ｂ）の各色の光を発光する複数の半導体
発光素子であり、
前記駆動手段は、前記複数の光源の点灯時間に対し、ＲＧの各色の光を発光する前記複
数の光源に供給する定電流の電流値又はパルス電流の幅を、一定の割合で増加させること
を特徴とする請求項１に記載の電気光学装置。
【請求項３】
前記点灯時間を計測する点灯時間計測手段と、
計測された前記点灯時間を積算した総点灯時間を算出する点灯時間積算手段と、
複数の所定の総点灯時間に対し、ＲＧの各色の光の輝度を一定に保持するために必要な
、前記定電流の電流値の増加量又は前記パルス電流の幅の増加量が示されたテーブルを記
憶している記憶部と、
積算された前記総点灯時間が前記所定の総点灯時間に達すると、前記所定の総点灯時間
に対応する前記定電流の電流値の増加量又は前記パルス電流の幅の増加量を、前記テーブ
ルより求め、求められた前記定電流の電流値の増加量又は前記パルス電流の幅の増加量を
前記駆動手段に制御信号として送信する制御手段と、を備え、
前記駆動手段は、前記制御信号を受信すると、ＲＧの各色の光を発光する前記複数の光
源に供給する定電流の電流値又はパルス電流の幅を、前記定電流の電流値の増加量又は前
記パルス電流の幅の増加量の分、増加させることを特徴とする請求項２に記載の電気光学
装置。
【請求項４】
前記複数の光源の点灯時間を計測する点灯時間計測手段と、
ＲＧの各色の光の輝度を一定に保つために必要な、単位時間当たりにおける前記定電流
の電流値の増加量又は前記パルス電流の幅の増加量を記憶している記憶部と、
前記点灯時間が前記単位時間を経過するごとに前記記憶部に記憶されている前記定電流
の電流値の増加量又は前記パルス電流の幅の増加量を前記駆動手段に制御信号として送信
する制御手段と、を備え、
前記駆動手段は、前記制御信号を受信すると、ＲＧの各色の光を発光する前記複数の光
源に供給する定電流の電流値又はパルス電流の幅を、前記定電流の電流値の増加量又は前
記パルス電流の幅の増加量の分、増加させることを特徴とする請求項２に記載の電気光学
装置。
【請求項５】
前記複数の光源は、赤（Ｒ）、緑（Ｇ）、青（Ｂ）の各色の光を発光する複数の半導体
発光素子であり、
前記駆動手段は、前記複数の光源の点灯時間に対し、Ｂの色の光を発光する前記複数の
光源に供給する定電流の電流値又はパルス電流の幅を、一定の割合で減少させることを特
徴とする請求項１に記載の電気光学装置。
【請求項６】
前記点灯時間を計測する点灯時間計測手段と、
計測された前記点灯時間を積算して総点灯時間を算出する点灯時間積算手段と、
複数の所定の総点灯時間に対し、前記表示パネルのホワイトバランスを保持するために
必要な、前記定電流の電流値の減少量又は前記パルス電流の幅の減少量が示されたテーブ
ルを記憶している記憶部と、
積算された前記総点灯時間が前記所定の総点灯時間を達すると、前記所定の総点灯時間
に対応する前記定電流の電流値の減少量又は前記パルス電流の幅の減少量を、前記テーブ
ルより求め、求められた前記定電流の電流値の減少量又は前記パルス電流の幅の減少量を
前記駆動手段に制御信号として送信する制御手段と、を備え、
前記駆動手段は、前記制御信号を受信すると、Ｂの色の光を発光する前記複数の光源に
供給する定電流の電流値又はパルス電流の幅を、前記定電流の電流値の減少量又は前記パ
ルス電流の幅の減少量の分、減少させることを特徴とする請求項５に記載の電気光学装置
。
【請求項７】
前記複数の光源の点灯時間を計測する点灯時間計測手段と、
前記表示パネルのホワイトバランスを保持するために必要な、単位時間当たりにおける
前記定電流の電流値の減少量又は前記パルス電流の幅の減少量を記憶している記憶部と、
前記点灯時間が前記単位時間を経過するごとに前記記憶部に記憶されている前記定電流
の電流値の減少量又は前記パルス電流の幅の減少量を前記駆動手段に制御信号として送信
する制御手段と、を備え、
前記駆動手段は、前記制御信号を受信すると、Ｂの色の光を発光する前記複数の光源に
供給する定電流の電流値又はパルス電流の幅を、前記定電流の電流値の減少量又は前記パ
ルス電流の幅の減少量の分、減少させることを特徴とする請求項５に記載の電気光学装置
。
【請求項８】
請求項１乃至７のいずれか一項に記載の電気光学装置を表示部に備えることを特徴とす
る電子機器。
【請求項９】
３色以上の各色の光を発光する各色の半導体発光素子からなる複数の光源と、
前記複数の光源に前記電流を供給する駆動手段と、を備え、
前記駆動手段は、前記複数の光源の点灯時間に対し、前記複数の光源のうち、所定の色
の光を発光する光源に供給する定電流の電流値又はパルス電流の幅を、一定の割合で変化
させることにより、前記各色の光が混光された白色光のホワイトバランスを調整すること
を特徴とする照明装置。
【請求項１０】
表示パネルと、前記表示パネルを半導体発光素子からなる複数の光源より発光された３
色以上の各色の光を透過させることにより照明する照明装置を備える電気光学装置の制御
方法であって、
前記複数の光源の点灯時間に対し、前記複数の光源のうち、所定の色の光を発光する光
源に供給する定電流の電流値又はパルス電流の幅を、一定の割合で変化させることにより
前記表示パネルのホワイトバランスを調整する駆動工程と、を備えることを特徴とする電
気光学装置の制御方法。
【発明の詳細な説明】
【技術分野】
【０００１】
本発明は、照明装置を有する特に液晶表示装置などの電気光学装置に関する。
【背景技術】
【０００２】
液晶表示装置に代表される電気光学装置は、白色光を出光する照明装置と、赤（Ｒ）、
緑（Ｇ）、青（Ｂ）といったカラーフィルタを備えた液晶表示パネルなどの表示パネルと
によりカラー表示を行っている。照明装置は、出光した白色光を表示パネルに透過するこ
とにより、表示パネルを照明している。このような照明装置では、ＬＥＤ（Light Emitti
ng Diode）などのＲＧＢの各色の光を発光する複数の光源が用いられている。照明装置は
、これらの光源より発光されたＲＧＢの各色の光を合成することにより、白色光を出光す
ることができる。
【０００３】
各色のＬＥＤの輝度は、温度変化や経時変化などによって低下する。このような各色の
ＬＥＤの輝度の低下は、ＬＥＤ内部において、チップを覆う封止材料が、当該チップの光
のエネルギーや熱などによって劣化し、当該チップから発光される光を遮ってしまうこと
により、発生する。この各色のＬＥＤの輝度の低下の特性は、各色のＬＥＤごとによって
異なるため、温度変化や経時変化などによって、表示パネルにおけるホワイトバランスが
崩れてしまう。
【０００４】
上述の表示パネルにおけるホワイトバランスを調整するために、下記の特許文献１には
、ＲＧＢの各色のＬＥＤの輝度及び色度を常時測定して、その変化量を求め、この変化量
を基にＲＧＢの各色のＬＥＤに供給されるパルス電流を制御する技術が記載されている。
また、下記の特許文献２には、ＲＧＢの各色のＬＥＤに供給される電流量を常時測定して
電流量の変化量を求め、電流量の変化量とＲＧＢの各色の変化量の対応関係が示されたテ
ーブルを基に、ＲＧＢの各色のＬＥＤに供給する電流量を制御する技術が記載されている
。
【０００５】
【特許文献１】特開２００４−９３６２９号公報
【特許文献２】特開２００５−１７３２４号公報
【発明の開示】
【発明が解決しようとする課題】
【０００６】
しかしながら、ＬＥＤの輝度及び色度を常時測定するためには光センサが、ＬＥＤに供
給される電流量を常時センシングするためには電流センサが、夫々必要となる。光センサ
は、薄型の電気光学装置では設置場所の確保が難しく、設置される場所によっては、正確
に測ることができない。また、電流センサを用いても、経時変化による各色のＬＥＤの輝
度の低下を測ることはできない。
【０００７】
本発明は上記の点に鑑みてなされたものであり、光センサや電流センサといった部品を
用いなくても、経時変化に対し、簡単に表示パネルのホワイトバランスを調整することが
できる電気光学装置を提供することを課題とする。
【課題を解決するための手段】
【０００８】
本発明の１つの観点では、表示パネルと、３色以上の各色の光を発光する各色の半導体
発光素子からなる複数の光源、及び前記複数の光源に定電流又はパルス電流を供給する駆
動手段を有し、前記表示パネルに前記複数の光源より発光された光を透過させることによ
り照明する照明装置と、前記駆動手段は、前記複数の光源の点灯時間に対し、前記複数の
光源のうち、所定の色の光を発光する光源に供給する定電流の電流値又はパルス電流の幅
を、一定の割合で変化させることにより、前記表示パネルのホワイトバランスを調整する
。
【０００９】
上記の電気光学装置は、例えば液晶表示装置であり、液晶表示パネルなどの表示パネル
と、照明装置と、を備える。前記照明装置は、３色以上の各色の光を発光する各色の半導
体発光素子からなる複数の光源、及び前記複数の光源に電流を供給する駆動手段を有し、
前記表示パネルに前記複数の光源より発光された光を透過させることにより照明する。こ
こでいう半導体発光素子とは、ＬＥＤ（Light Emitting Diode）のことである。ＬＥＤは
、経時変化に対し、一定の割合で輝度が低下する性質を有する。そこで、前記駆動手段は
、所定の色の光を発光する光源に供給する定電流の電流値又はパルス電流の幅を、前記点
灯時間に対し、一定の割合で変化させることにより前記表示パネルのホワイトバランスを
調整する。ここでいうパルス電流の幅とは、１フレーム期間中におけるパルス電流の幅を
指す。このようにすることで、光センサや電流センサといった部品を用いなくても、経時
変化に対し、簡単に表示パネルのホワイトバランスを調整することができる。
【００１０】
上記の電気光学装置の一態様は、前記複数の光源は、赤（Ｒ）、緑（Ｇ）、青（Ｂ）の
各色の光を発光する複数の半導体発光素子であり、前記駆動手段は、前記複数の光源の点
灯時間に対し、ＲＧの各色の光を発光する前記複数の光源に供給する定電流の電流値又は
パルス電流の幅を、一定の割合で増加させる。これにより、簡単に表示パネルのホワイト
バランスを調整することができるだけでなく、その輝度も一定の輝度に保つことができる
。
【００１１】
上記の電気光学装置の好適な実施例は、前記点灯時間を計測する点灯時間計測手段と、
計測された前記点灯時間を積算した総点灯時間を算出する点灯時間積算手段と、複数の所
定の総点灯時間に対し、ＲＧの各色の光の輝度を一定に保持するために必要な、前記定電
流の電流値の増加量又は前記パルス電流の幅の増加量が示されたテーブルを記憶している
記憶部と、積算された前記総点灯時間が前記所定の総点灯時間を達すると、前記所定の総
点灯時間に対応する前記定電流の電流値の増加量又は前記パルス電流の幅の増加量を、前
記テーブルより求め、求められた前記定電流の電流値の増加量又は前記パルス電流の幅の
増加量を前記駆動手段に制御信号として送信する制御手段と、を備え、前記駆動手段は、
前記制御信号を受信すると、ＲＧの各色の光を発光する前記複数の光源に供給する定電流
の電流値又はパルス電流の幅を、前記定電流の電流値の増加量又は前記パルス電流の幅の
増加量の分、増加させる。
【００１２】
上記の電気光学装置の他の一態様は、前記複数の光源の点灯時間を計測する点灯時間計
測手段と、ＲＧの各色の光の輝度を一定に保つために必要な、単位時間当たりにおける前
記定電流の電流値の増加量又は前記パルス電流の幅の増加量を記憶している記憶部と、前
記点灯時間が前記単位時間を経過するごとに前記記憶部に記憶されている前記定電流の電
流値の増加量又は前記パルス電流の幅の増加量を前記駆動手段に制御信号として送信する
制御手段と、を備え、前記駆動手段は、前記制御信号を受信すると、ＲＧの各色の光を発
光する前記複数の光源に供給する定電流の電流値又はパルス電流の幅を、前記定電流の電
流値の増加量又は前記パルス電流の幅の増加量の分、増加させる。これにより、所定の総
点灯時間に対する定電流の電流値又はパルス電流の幅についての増加量をテーブルとして
記憶部に記憶しておく必要も、制御手段が総点灯時間を積算する必要もなくなる。
【００１３】
上記の電気光学装置の他の一態様は、前記複数の光源は、赤（Ｒ）、緑（Ｇ）、青（Ｂ
）の各色の光を発光する複数の半導体発光素子であり、前記駆動手段は、前記複数の光源
の点灯時間に対し、Ｂの色の光を発光する前記複数の光源に供給する定電流の電流値又は
パルス電流の幅を、一定の割合で減少させる。この場合には、Ｂの色の光を発光する前記
光源に供給する定電流の電流値又はパルス電流の幅のみを減少させることとなるので、Ｒ
Ｇの各色の光を発光する前記複数の光源に供給する定電流の電流値又はパルス電流の幅を
増加させるのに較べ、消費電力を減らすことができる。
【００１４】
上記の電気光学装置の好適な実施例は、前記点灯時間を計測する点灯時間計測手段と、
計測された前記点灯時間を積算して総点灯時間を算出する点灯時間積算手段と、複数の所
定の総点灯時間に対し、前記表示パネルのホワイトバランスを保持するために必要な、前
記定電流の電流値の減少量又は前記パルス電流の幅の減少量が示されたテーブルを記憶し
ている記憶部と、積算された前記総点灯時間が前記所定の総点灯時間を達すると、前記所
定の総点灯時間に対応する前記定電流の電流値の減少量又は前記パルス電流の幅の減少量
を、前記テーブルより求め、求められた前記定電流の電流値の減少量又は前記パルス電流
の幅の減少量を前記駆動手段に制御信号として送信する制御手段と、を備え、前記駆動手
段は、前記制御信号を受信すると、Ｂの色の光を発光する前記複数の光源に供給する定電
流の電流値又はパルス電流の幅を、前記定電流の電流値の減少量又は前記パルス電流の幅
の減少量の分、減少させる。
【００１５】
上記の電気光学装置の他の一態様は、前記複数の光源の点灯時間を計測する点灯時間計
測手段と、前記表示パネルのホワイトバランスを保持するために必要な、単位時間当たり
における前記定電流の電流値の減少量又は前記パルス電流の幅の減少量を記憶している記
憶部と、前記点灯時間が前記単位時間を経過するごとに前記記憶部に記憶されている前記
定電流の電流値の減少量又は前記パルス電流の幅の減少量を前記駆動手段に制御信号とし
て送信する制御手段と、を備え、前記駆動手段は、前記制御信号を受信すると、Ｂの色の
光を発光する前記複数の光源に供給する定電流の電流値又はパルス電流の幅を、前記定電
流の電流値の減少量又は前記パルス電流の幅の減少量の分、減少させる。これにより、所
定の総点灯時間に対する定電流の電流値又はパルス電流の幅についての減少量をテーブル
として記憶部に記憶しておく必要も、制御手段が総点灯時間を積算する必要もなくなる。
【００１６】
本発明の他の観点では、上記の電気光学装置を表示部に備えることを特徴とする電子機
器を構成することができる。
【００１７】
本発明の更なる他の観点では、照明装置は、３色以上の各色の光を発光する各色の半導
体発光素子からなる複数の光源と、前記複数の光源に前記電流を供給する駆動手段と、を
備え、前記駆動手段は、前記複数の光源の点灯時間に対し、前記複数の光源のうち、所定
の色の光を発光する光源に供給する定電流の電流値又はパルス電流の幅を、一定の割合で
変化させることにより、前記各色の光が混光された白色光のホワイトバランスを調整する
。これによっても、光センサや電流センサといった部品を用いずに、簡単に表示パネルの
ホワイトバランスを調整することができる。
【００１８】
本発明の更なる他の観点では、表示パネルと、前記表示パネルを半導体発光素子からな
る複数の光源より発光された３色以上の各色の光を透過させることにより照明する照明装
置を備える電気光学装置の制御方法は、前記複数の光源の点灯時間に対し、前記複数の光
源のうち、所定の色の光を発光する光源に供給する定電流の電流値又はパルス電流の幅を
、一定の割合で変化させることにより前記表示パネルのホワイトバランスを調整する駆動
工程と、を備える。この方法を用いても、光センサや電流センサといった部品を用いずに
、簡単に表示パネルのホワイトバランスを調整することができる。
【発明を実施するための最良の形態】
【００１９】
以下、図面を参照して本発明を実施するための最良の形態について説明する。
【００２０】
［液晶表示装置の構成］
まず、図１及び図２を参照して、本実施形態に係る液晶表示装置１００の構成等につい
て説明する。
【００２１】
図１は、本実施形態に係る液晶表示装置１００の概略構成を模式的に示す平面図である
。図１では、紙面手前側（観察側）にカラーフィルタ基板９２が、また、紙面奥側に素子
基板９１が夫々配置されている。なお、図１では、紙面縦方向（列方向）をＹ方向と、ま
た、紙面横方向（行方向）をＸ方向と規定する。また、図１において、Ｒ（赤）、Ｇ１（
緑１）、Ｂ（青）、Ｇ２（緑２）に対応する各領域は１つのサブ画素ＳＧを示していると
共に、Ｒ、Ｇ１、Ｂ、Ｇ２に対応する１行４列のサブ画素ＳＧは、１つの表示画素ＡＧを
示している。ここで、Ｇ１（緑１）、Ｇ２（緑２）は、青から黄までの色相の中で選択さ
れた２種の色相である。本実施形態では、一例として、Ｇ１（緑１）は、一般的にＧで示
される純粋な緑を示し、Ｇ２(緑)２は、黄緑を示すこととする。
【００２２】
図２は、液晶表示装置１００における切断線Ａ−Ａ´に沿った１つの表示画素ＡＧの拡
大断面図である。図２に示すように、液晶表示装置１００は、液晶表示パネル３０と照明
装置１０より構成される。液晶表示パネル３０は、素子基板９１と、その素子基板９１に
対向して配置されるカラーフィルタ基板９２とが枠状のシール材５を介して貼り合わされ
、そのシール材５の内側に液晶が封入されて液晶層４が形成されてなる。液晶層４に用い
られる液晶は、例えばＴＮ（Twisted Nematic）型液晶である。液晶表示パネル３０の素
子基板９１の外面上には、照明装置１０が備えられている。
【００２３】
本実施形態に係る液晶表示装置１００は、Ｒ、Ｇ１、Ｂ、Ｇ２の４色を用いて構成され
るカラー表示用の液晶表示装置であると共に、スイッチング素子としてα−Ｓｉ型ＴＦＴ
（Thin Film Transistor）素子を用いたアクティブマトリクス駆動方式の液晶表示装置で
ある。
【００２４】
素子基板９１の平面構成について説明する。素子基板９１の内面上には、主として、複
数のソース線３２、複数のゲート線３３、複数のα−Ｓｉ型ＴＦＴ素子３７、複数の画素
電極３４、ドライバＩＣ４０、外部接続用配線３５及びＦＰＣ（Flexible Printed Circu
it）４１などが形成若しくは実装されている。
【００２５】
図１に示すように、素子基板９１は、カラーフィルタ基板９２の一辺側から外側へ張り
出してなる張り出し領域３１を有しており、その張り出し領域３１上には、ドライバＩＣ
４０が実装されている。ドライバＩＣ４０の入力側の端子（図示略）は、複数の外部接続
用配線３５の一端側と電気的に接続されていると共に、複数の外部接続用配線３５の他端
側はＦＰＣ４１と電気的に接続されている。各ソース線３２は、Ｙ方向に延在するように
且つＸ方向に適宜の間隔をおいて形成されており、各ソース線３２の一端側は、ドライバ
ＩＣ４０の出力側の端子（図示略）に電気的に接続されている。
【００２６】
各ゲート線３３は、Ｙ方向に延在するように形成された第１配線３３ａと、その第１配
線３３ａの終端部からＸ方向に延在するように形成された第２配線３３ｂとを備えている
。各ゲート線３３の第２配線３３ｂは、各ソース線３２と交差する方向、即ちＸ方向に延
在するように且つＹ方向に適宜の間隔をおいて形成されており、各ゲート線３３の第１配
線３３ａの一端側は、ドライバＩＣ４０の出力側の端子（図示略）に電気的に接続されて
いる。各ソース線３２と各ゲート線３３の第２配線３３ｂの交差に対応する位置にはα−
ＴＦＴ素子３７が設けられており、各α−ＴＦＴ素子３７は各ソース線３２、各ゲート線
３３及び各画素電極３４等に電気的に接続されている。各α−ＴＦＴ素子３７及び各画素
電極３４は、ガラスなどの基板１上の各サブ画素ＳＧに対応する位置に設けられている。
各画素電極３４は、例えばＩＴＯ（Indium-Tin Oxide）などの透明導電材料により形成さ
れている。
【００２７】
１つの表示画素ＡＧがＸ方向及びＹ方向に複数個、マトリクス状に並べられた領域が有
効表示領域Ｖ（２点鎖線により囲まれる領域）である。この有効表示領域Ｖに、文字、数
字、図形等の画像が表示される。なお、有効表示領域Ｖの外側の領域は表示に寄与しない
額縁領域３８となっている。また、各ソース線３２、各ゲート線３３、各α−ＴＦＴ素子
３７、及び各画素電極３４等の内面上には、図示しない配向膜が形成されている。
【００２８】
次に、カラーフィルタ基板９２の平面構成について説明する。図２に示すように、カラ
ーフィルタ基板９２は、ガラスなどの基板２上に、遮光層（一般に「ブラックマトリクス
」と呼ばれ、以下では、単に「ＢＭ」と略記する）、Ｒ、Ｇ１、Ｂ、Ｇ２の４色の着色層
６Ｒ、６Ｇ１、６Ｂ、６Ｇ２及び共通電極８などを有する。ＢＭは、各色のサブ画素ＳＧ
を区画する位置に形成されている。なお、以下の説明もしくは図面において、Ｒ、Ｇ１、
Ｂ、Ｇ２の色を特定することなく構成要素を示す場合には、単に「着色層６」のように記
し、Ｒ、Ｇ１、Ｂ、Ｇ２の色を区別して構成要素を示す場合には、例えば「着色層６Ｒ」
のように記すこととする。Ｒ、Ｇ１、Ｂ、Ｇ２の各色のサブ画素ＳＧは、Ｒ、Ｇ１、Ｂ、
Ｇ２の着色層６Ｒ、６Ｇ１、６Ｂ、６Ｇ２の夫々を有している。このＲ、Ｇ１、Ｂ、Ｇ２
の着色層６Ｒ、６Ｇ１、６Ｂ、６Ｇ２が、夫々の色のカラーフィルタとして機能する。共
通電極８は、画素電極と同様にＩＴＯなどの透明導電材料からなり、カラーフィルタ基板
９２の略一面に亘って形成されている。共通電極８は、シール材５の隅の領域Ｅ１におい
て配線３６の一端側と電気的に接続されていると共に、当該配線３６の他端側は、ドライ
バＩＣ４０のＣＯＭに対応する出力端子と電気的に接続されている。
【００２９】
次に照明装置１０について説明する。照明装置１０は、導光板１１と光源部１２より構
成される。光源部１２は、導光板１１の端面１１ｃに対し光Ｌを出光する。光源部１２は
、後に詳しく述べるが、点光源たる複数のＲ（赤）、Ｇ（緑）、Ｂ（青）の各色のＬＥＤ
１３Ｒ、１３Ｇ、１３Ｂを備える。光源部１２より出光される光Ｌは、ＲＧＢの各色のＬ
ＥＤ１３Ｒ、１３Ｇ、１３Ｂの夫々より出光された光を混光した白色光である。
【００３０】
光源部１２より出光した光Ｌは、導光板１１の端面（以下、「入光端面」と称す）１１
ｃより導光板１１内へ入り、導光板１１の出光面１１ａ、反射面１１ｂで反射を繰り返す
ことにより方向を変える。光Ｌは、導光板１１の出光面１１ａと光Ｌのなす角が臨界角を
超えると、導光板１１の出光面１１ａより図示しない光学シートを介して液晶表示パネル
３０へ出光する。液晶表示装置１００は、光Ｌが液晶表示パネル３０を透過することによ
って照明される。これにより、液晶表示装置１００は、文字、数字、図形等の画像を表示
することができ、観測者が画像を視認することができる。
【００３１】
液晶表示装置１００では、電子機器のメイン基板等と接続されたＦＰＣ４１側からの信
号及び電力等に基づき、ドライバＩＣ４０によって、Ｇ１、Ｇ２、・・・、Ｇｍ−１、Ｇ
ｍ（ｍは自然数）の順にゲート線３３が順次排他的に１本ずつ選択されるとともに、選択
されたゲート線３３には、選択電圧のゲート信号が供給される一方、他の非選択のゲート
線３３には、非選択電圧のゲート信号が供給される。そして、ドライバＩＣ４０は、選択
されたゲート線３３に対応する位置にある画素電極３４に対し、表示内容に応じたソース
信号を、それぞれ対応するＳ１、Ｓ２、・・・、Ｓｎ−１、Ｓｎ（ｎは自然数）のソース
線３２及びα−ＴＦＴ素子３７を介して供給する。その結果、液晶層４の配向状態が制御
され、液晶表示装置１００の表示状態が、非表示状態または中間表示状態に切り替えられ
ることとなる。
【００３２】
なお、本実施形態に係る液晶表示装置１００は、完全透過型の液晶表示装置として示し
ているが、これに限られず、代わりに半透過反射型の液晶表示装置を用いるとすることも
できる。また、液晶表示パネル３０は、スイッチング素子として、α−ＴＦＴ素子３７を
用いるとしているが、これに限られず、代わりにポリシリコンＴＦＴやＴＦＤ（Thin Fil
m Diode）素子を用いるとすることもできる。
【００３３】
さらに、液晶表示パネル３０としては、上述したようなＴＮ液晶からなる液晶層を有す
る液晶表示パネルには限られず、代わりに、ＶＡ（Vertical Alignment）方式、ＩＰＳ（
In Plane Switching）方式、ＦＦＳ（Fringe Field Structure）方式などの液晶表示パネ
ルを用いるとすることもできる。
【００３４】
なお、本実施形態では、表示パネルとして液晶表示パネルを用いているが、これに限ら
れるものではなく、代わりに表示パネルとして、電気泳動ディスプレイパネルなどの他の
表示パネルを用いるとすることもできる。
【００３５】
[照明装置の構成]
次に、本実施形態に係る照明装置１０について詳しく述べる。図３に、本実施形態に係
る照明装置１０の平面図を示す。先にも述べたように、光源部１２より出光される光Ｌは
、ＲＧＢの各色のＬＥＤ１３Ｒ、１３Ｇ、１３Ｂの夫々より出光された光を混光したもの
である。図３に示すように、光源部１２には、複数のＲＧＢの各色のＬＥＤ１３Ｒ、１３
Ｇ、１３Ｂが同数ずつ備えられる。ＲＧＢの各色のＬＥＤ１３Ｒ、１３Ｇ、１３Ｂは夫々
、電流が流されることによって光を発光する。
【００３６】
ＲＧＢの各色のＬＥＤ１３Ｒ、１３Ｇ、１３Ｂの夫々に流される電流は、具体的には、
定電流又はパルス電流である。後に詳しく述べるが、ＲＧＢの各色のＬＥＤ１３Ｒ、１３
Ｇ、１３Ｂに夫々流される定電流の電流値又はパルス電流の幅を大きくすれば、ＲＧＢの
各色のＬＥＤ１３Ｒ、１３Ｇ、１３Ｂより出光される光の輝度は大きくなり、ＲＧＢの各
色のＬＥＤ１３Ｒ、１３Ｇ、１３Ｂに夫々流される定電流の電流値又はパルス電流の幅を
小さくすれば、ＲＧＢの各色のＬＥＤ１３Ｒ、１３Ｇ、１３Ｂより出光される光の輝度は
小さくなる。つまり、ＧＢの各色のＬＥＤ１３Ｒ、１３Ｇ、１３Ｂより出光される光の輝
度は、夫々に流される定電流の電流値又はパルス電流の幅に応じて変化する。
【００３７】
図４に、光源部１２の模式図を示す。光源部１２では、一例として、ＲＧＢの各色のＬ
ＥＤ１３Ｒ、１３Ｇ、１３Ｂが、２つずつ光源部１２に備えられるとする。つまり、図４
に示すように、光源部１２には、２つの赤色ＬＥＤ１３Ｒとして、赤色ＬＥＤ１３Ｒ１、
１３Ｒ２が備えられ、２つの緑色ＬＥＤ１３Ｇとして、緑色ＬＥＤ１３Ｇ１、１３Ｇ２が
備えられ、２つの青色ＬＥＤ１３Ｂとして、青色ＬＥＤ１３Ｂ１、１３Ｂ２が備えられる
とする。
【００３８】
図４に示すように、照明装置１０は、光源部１２に備えられる複数のＲＧＢの各色のＬ
ＥＤ１３Ｒ、１３Ｇ、１３Ｂの他に、赤色ＬＥＤ駆動回路５１Ｒと、緑色ＬＥＤ駆動回路
５１Ｇと、青色ＬＥＤ駆動回路５１Ｂと、制御部５２と、記憶部５３と、タイマー５４を
備える。
【００３９】
赤色ＬＥＤ駆動回路５１Ｒは、赤色ＬＥＤ１３Ｒ１、１３Ｒ２と接続され、緑色ＬＥＤ
駆動回路５１Ｇは、緑色ＬＥＤ１３Ｇ１、１３Ｇ２と接続され、青色ＬＥＤ駆動回路５１
Ｂは、青色ＬＥＤ１３Ｂ１、１３Ｂ２と接続される。
【００４０】
赤色ＬＥＤ駆動回路５１Ｒ、緑色ＬＥＤ駆動回路５１Ｇ、青色ＬＥＤ駆動回路５１Ｂは
、ＣＰＵ（Central Processing Unit）などの制御部５２と接続される。制御部５２は、
ＲＡＭ（Random Access Memory）などの記憶部５３と、ＲＴＣ（Real Time Clock）など
のタイマー５４と接続される。
【００４１】
制御部５２は、赤色ＬＥＤ駆動回路５１Ｒ、緑色ＬＥＤ駆動回路５１Ｇ、青色ＬＥＤ駆
動回路５１Ｂに対し、制御信号を送信し、赤色ＬＥＤ駆動回路５１Ｒ、緑色ＬＥＤ駆動回
路５１Ｇ、青色ＬＥＤ駆動回路５１Ｂは、当該制御信号を基に各色のＬＥＤ１３に流す定
電流又はパルス電流を変化させる。従って、制御部５２は、本発明における制御手段とし
て機能し、赤色ＬＥＤ駆動回路５１Ｒ、緑色ＬＥＤ駆動回路５１Ｇ、青色ＬＥＤ駆動回路
５１Ｂ（以下、ＲＧＢの色を特定せずに示す場合には、単に「ＬＥＤ駆動回路５１」と称
することもある）は、本発明における駆動手段として機能する。
【００４２】
タイマー５４は、秒をカウントする度に信号を制御部５２に出力する。制御部５２は、
ＲＧＢの各色のＬＥＤ１３Ｒ、１３Ｇ、１３Ｂが点灯してから消灯するまでの点灯時間を
、タイマー５４からの信号を基に計測し、記憶部５３に記憶する。従って、制御部５２は
、本発明における点灯時間計測手段として機能する。
【００４３】
赤色ＬＥＤ１３Ｒ１、１３Ｒ２は、電気的に直列接続される。直列接続された赤色ＬＥ
Ｄ１３Ｒ１、１３Ｒ２は、赤色ＬＥＤ駆動回路５１Ｒによって電流Ｉｒが流される。図４
に、赤色ＬＥＤ１３Ｒ１、１３Ｒ２に流される電流の流れを実線矢印で示す。これにより
、赤色ＬＥＤ１３Ｒ１、１３Ｒ２には、どちらにも電流Ｉｒが流され、赤色ＬＥＤ１３Ｒ
１、１３Ｒ２は、どちらも同じ輝度の赤色光を発光することができる。
【００４４】
図４に、緑色ＬＥＤ１３Ｇ１、１３Ｇ２、青色ＬＥＤ１３Ｂ１、１３Ｂ２夫々に流され
る電流の流れについても破線矢印で示す。
【００４５】
緑色ＬＥＤ１３Ｇ１、１３Ｇ２は、電気的に直列接続される。直列接続された緑色ＬＥ
Ｄ１３Ｇ１、１３Ｇ２は、緑色ＬＥＤ駆動回路５１Ｇによって電流Ｉｇが流される。これ
により、緑色ＬＥＤ１３Ｇ１、１３Ｇ２には、どちらにも電流Ｉｇが流され、緑色ＬＥＤ
１３Ｇ１、１３Ｇ２は、どちらも同じ輝度の緑色光を発光することができる。
【００４６】
青色ＬＥＤ１３Ｂ１、１３Ｂ２も、電気的に直列接続される。直列接続された２つの青
色ＬＥＤ１３Ｂ１、１３Ｂ２は、青色ＬＥＤ駆動回路５１Ｂによって電流Ｉｂが流される
。これにより、青色ＬＥＤ１３Ｂ１、１３Ｂ２には、どちらにも電流Ｉｂが流され、青色
ＬＥＤ１３Ｂ１、１３Ｂ２は、どちらも同じ輝度の青色光を発光することができる。
【００４７】
図５に、一例として、本実施形態に係る赤色ＬＥＤ駆動回路５１Ｒの回路図を示す。赤
色ＬＥＤ駆動回路５１Ｒは、電流制限抵抗Ｒｒと、電源Ｖｒより構成される。電流制限抵
抗Ｒｒの大きさは、赤色ＬＥＤ１３Ｒ１、１３Ｒ２に流すことのできる電流Ｉｒの許容値
によって決まる。赤色ＬＥＤ１３Ｒ１、１３Ｒ２に電流Ｉｒを供給する電源Ｖｒの制御は
、制御部５２より制御信号が電源Ｖｒに送信されることによって行われる。
【００４８】
緑色ＬＥＤ駆動回路５１Ｇ、青色ＬＥＤ駆動回路５１Ｂの夫々についても、赤色ＬＥＤ
駆動回路５１Ｒと同様、電気的に接続されている緑色ＬＥＤ１３Ｇ１、１３Ｇ２と、青色
ＬＥＤ１３Ｂ１、１３Ｂ２の夫々に電流Ｉｇ、Ｉｂを供給するための電源を夫々有し、夫
々の電源の制御は、制御部５２より制御信号が夫々の電源に送信されることによって行わ
れる。
【００４９】
具体的には、電流Ｉｒ、Ｉｇ、Ｉｂが定電流となるときの電流Ｉｒ、Ｉｇ、Ｉｂの夫々
の大きさ、電流Ｉｒ、Ｉｇ、Ｉｂがパルス電流となるときの電流Ｉｒ、Ｉｇ、Ｉｂの夫々
の１フレーム期間中における幅が、制御部５２より送信された制御信号によって制御され
る。
【００５０】
なお、制御部５２、記憶部５３、タイマー５４は、照明装置１０に取り付けられている
としているが、これに限られるものではない。代わりに、制御部５２、記憶部５３、タイ
マー５４を、液晶表示パネル３０のＦＰＣ４１などに設置するとしても良いし、後に述べ
る演算処理部６１２ａ、記憶部６１２ｂに、制御部５２、記憶部５３の夫々の機能も持た
せるとしても良い。
【００５１】
[点灯時間に対するＬＥＤの輝度の変化]
上述した照明装置１０は、ＲＧＢの各色のＬＥＤ１３を用いて白色光を生成している。
ＬＥＤは、すり鉢状の凹部を有する枠体と、当該凹部の底面に備えられた光を発光するチ
ップと、チップを枠体に封止するための封止材料より構成されている。封止材料は、ＬＥ
Ｄが使用される環境温度の変化やチップの光エネルギーや熱に長時間曝露されることによ
って、即ち、温度変化や経時変化によって劣化する。温度変化や経時変化によって劣化し
た封止材料がチップから発光される光を遮ることにより、ＬＥＤの輝度の低下が発生する
。このＬＥＤの輝度の低下の特性は、各色のＬＥＤによって異なる。
【００５２】
各色のＬＥＤに流す電流量を製品出荷時に予め設定した電流量のままにしておくと、温
度変化や経時変化などにより、各色のＬＥＤから出光された光の輝度がそれぞれ低下して
しまうので、各色のＬＥＤから出光する光を混光しても当初設定していた白色光と同じ白
色光とならなくなる。
【００５３】
図６は、一般的な照明装置におけるＲＧＢの各色のＬＥＤの点灯時間に対する輝度の変
化を示すグラフである。図６のグラフでは、横軸に点灯時間をとり、縦軸に光の輝度をと
っている。直線７１Ｒ、７１Ｇ、７１Ｂは夫々、ＲＧＢの各色のＬＥＤから出光される光
の輝度の変化を示し、直線７１ＲＧＢは、ＲＧＢの各色のＬＥＤからの光が混光された白
色光の輝度の変化を示している。
【００５４】
図７に、本実施形態に係る液晶表示装置による色再現範囲を国際照明委員会（ＣＩＥ）
の色度図で示す。図７において、色再現範囲４０１は、人間の目の波長感度特性による色
再現範囲であり、人間が見分けることのできる色再現範囲を示している。三角形の破線で
示した色再現範囲４０２は、一般的なＲＧＢの３色のみからなる着色層を有する液晶表示
装置により達成される色再現範囲である。一方、四角形の実線で示した色再現範囲４５１
は、第１実施形態に係る液晶表示装置１００により達成される色再現範囲である。なお、
色再現範囲４１１は、Ｇ２（緑２）の色再現範囲を示している。
【００５５】
図７において、Ｇ２（緑２）の色再現範囲が色再現範囲４１１となることから分かるよ
うに、一般的なＲＧＢの３色のみからなる着色層を有する液晶表示装置では、色再現範囲
が４０２となるので、Ｇ２（緑２）の色を表示するのが困難であった。本実施形態に係る
液晶表示装置１００により達成される色再現範囲４５１は、色再現範囲４０２と較べて、
色再現範囲は拡大しており、特にＧ２（緑２）の再現範囲４１１に張り出すような形状を
している。即ち、本実施形態に係る液晶表示装置１００によって、色再現範囲を拡大する
こと、特にＧ２（緑２）の色再現範囲を拡大することが可能となる。ここで、点Ｗは、図
６でいうと、点灯時間が０[hour]となるときにおけるＲＧＢの各色のＬＥＤ１３からの光
が混光された白色光が液晶表示パネル３０を照明するときの、液晶表示パネル３０の白色
点を示す。
【００５６】
図６のグラフから分かるように、白色点を点Ｗの位置に設定するために、当初、照明装
置１０における各色のＬＥＤ１３の光の輝度は、緑色ＬＥＤ１３Ｇの光の輝度が最も大き
く、赤色ＬＥＤ１３Ｒの光の輝度、青色ＬＥＤ１３Ｂの光の輝度となるにつれて順に小さ
く設定される。このとき、緑色ＬＥＤ１３Ｇの光の輝度、赤色ＬＥＤ１３Ｒの光の輝度は
、青色ＬＥＤ１３Ｂの光の輝度よりも大幅に大きく設定される。このため、点灯時間が経
過するに従い、緑色ＬＥＤ１３Ｇ、赤色ＬＥＤ１３Ｒにおけるチップを覆う封止材料は、
青色ＬＥＤ１３Ｂにおけるチップを覆う封止材料に較べて大きく劣化する。
【００５７】
図６のグラフに示すＲＧＢの各色の光の輝度は、環境温度が１０℃〜７０℃の範囲内で
測定されたものである。この環境温度の範囲内では、緑色ＬＥＤ１３Ｇ及び赤色ＬＥＤ１
３Ｒの光の輝度は、直線７１Ｒ、７１Ｇで示すように、点灯時間の経過に対し、一定の割
合で低下することが分かる。一方、青色ＬＥＤ１３Ｂの光の輝度は、この環境温度の範囲
内では、直線７１Ｂで示すように、点灯時間の経過に対し、殆ど変化がないことが分かる
。
【００５８】
このように、緑色ＬＥＤ１３Ｇ及び赤色ＬＥＤ１３Ｒの光の輝度は、点灯時間の経過に
対し、一定の割合で低下するため、直線７１ＲＧＢに示すように、ＲＧＢの各色のＬＥＤ
１３からの光が混光された白色光の輝度も、点灯時間の経過に対し、一定の割合で低下す
る。また、このとき、青色ＬＥＤ１３Ｂの光の輝度は、殆ど変化しないので、液晶表示パ
ネル３０の白色点は、点灯時間の経過に従って、図７に示す矢印Ａ１の方向にシフトする
。これは、ＲＧＢの各色のＬＥＤ１３からの光が混光された白色光は、点灯時間の経過に
従い、青みがかった白色光となるため、液晶表示パネル３０の表示画面も、青みがかった
表示画面となるからである。このように、液晶表示パネル３０のホワイトバランスは、点
灯時間の経過に対し、崩れてしまう。
【００５９】
[緑色ＬＥＤと赤色ＬＥＤの光の輝度の補正]
ＲＧＢの各色のＬＥＤ１３からの光が混光された白色光において発生する輝度の低下や
ホワイトバランスの崩れを抑えるためには、点灯時間に対する、緑色ＬＥＤ１３Ｇ及び赤
色ＬＥＤ１３Ｒの光の輝度の低下を抑えることが必要となる。以下では、緑色ＬＥＤ１３
Ｇ及び赤色ＬＥＤ１３Ｒの光の輝度の低下を抑えることにより、ホワイトバランスの調整
を行う方法について述べる。
【００６０】
図８は、本実施形態に係る照明装置１０を用いた場合におけるＲＧＢの各色のＬＥＤ１
３の点灯時間に対する輝度の変化を示すグラフである。
【００６１】
図８のグラフにおいて、直線７２Ｒ、７２Ｇ、７２Ｂは、ＲＧＢの各色のＬＥＤ１３か
ら出光される光の輝度の変化を示し、直線７２ＲＧＢは、ＲＧＢの各色のＬＥＤ１３から
の光が混光された白色光の輝度の変化を示している。
【００６２】
まず、ＬＥＤ駆動回路５１がＲＧＢの各色のＬＥＤ１３に定電流を供給する場合につい
て述べる。
【００６３】
本実施形態に係る照明装置１０では、ＬＥＤ駆動回路５１は、点灯時間に対し、緑色Ｌ
ＥＤ１３Ｇ及び赤色ＬＥＤ１３Ｒに流す定電流の電流値を一定の割合で増加させることに
より、直線７２Ｇ、７２Ｒに示すように、緑色ＬＥＤ１３Ｇ及び赤色ＬＥＤ１３Ｒの光の
輝度を、当初設定されていた輝度に保持する。このようにすることで、直線７２ＲＧＢに
示すように、ＲＧＢの各色のＬＥＤ１３からの光が混光された白色光の輝度は、当初設定
されていた輝度に保持される。これにより、点灯時間に対し、ＲＧＢの各色のＬＥＤ１３
からの光が混光された白色光におけるＲＧＢの各色のＬＥＤ１３の光の割合も保持され、
本実施形態に係る照明装置１０は、点灯時間の経過に対し、液晶表示パネル３０のホワイ
トバランスが崩れるのを抑えることができる。
【００６４】
次に、ＬＥＤ駆動回路５１がＲＧＢの各色のＬＥＤ１３にパルス電流を供給する場合に
ついて述べる。
【００６５】
図９は、本実施形態に係る照明装置１０における各色のＬＥＤ１３の駆動シーケンスを
示したタイミングチャートである。図９において、各色のＬＥＤ１３の「ＯＮ」は点灯状
態を、「ＯＦＦ」は消灯状態を示す。例えば、図４で言うと、赤色ＬＥＤ１３Ｒが「ＯＮ
」となるときは、赤色ＬＥＤ１３Ｒ１、１３Ｒ２の両方が点灯し、赤色ＬＥＤ１３Ｒが「
ＯＦＦ」となるときは、赤色ＬＥＤ１３Ｒ１、１３Ｒ２の両方が消灯する。図９において
、緑色ＬＥＤ１３Ｇ、青色ＬＥＤ１３Ｂの「ＯＮ」及び「ＯＦＦ」となるときについても
同様に、緑色ＬＥＤ１３Ｇ１、１３Ｇ２の両方、青色ＬＥＤ１３Ｂ１、１３Ｂ２の両方が
夫々、点灯及び消灯する。
【００６６】
ＲＧＢの各色のＬＥＤ１３の光の輝度は、１フレーム期間中における、ＲＧＢの各色の
ＬＥＤ１３に流すパルス電流の幅によって変化する。ＲＧＢの各色のＬＥＤ１３に流すパ
ルス電流の幅が大きくなれば、ＲＧＢの各色のＬＥＤ１３の光の輝度は上がり、ＲＧＢの
各色のＬＥＤ１３に流すパルス電流の幅が小さくなれば、ＲＧＢの各色のＬＥＤ１３の光
の輝度は下がる。
【００６７】
先にも述べたように、液晶表示パネル３０の白色点を図７の色度図上の点Ｗの位置に設
定するために、当初、ＲＧＢの各ＬＥＤの輝度は、緑色ＬＥＤ１３Ｇの光の輝度が最も大
きく、赤色ＬＥＤ１３Ｒの光の輝度、青色ＬＥＤ１３Ｂの光の輝度となるにつれて順に小
さく設定される。このとき、緑色ＬＥＤ１３Ｇの光の輝度、赤色ＬＥＤ１３Ｒの光の輝度
は、青色ＬＥＤ１３Ｂの光の輝度よりも大幅に大きく設定される。従って、ＲＧＢの各色
のＬＥＤ１３にパルス電流が供給される場合には、図９の実線で示す駆動シーケンスのよ
うに、緑色ＬＥＤ１３Ｇに流すパルス電流の幅が最も大きく、青色ＬＥＤ１３Ｂに流すパ
ルス電流の幅が最も小さくされる。
【００６８】
この場合においても、点灯時間の経過に対し、緑色ＬＥＤ１３Ｇ及び赤色ＬＥＤ１３Ｒ
の光の輝度が下がっていく。そこで、本実施形態に係る照明装置１０では、ＬＥＤ駆動回
路５１は、図９の破線８１Ｇ、８１Ｒの駆動シーケンスに示すように、点灯時間に対し、
一定の割合で、１フレーム期間中における緑色ＬＥＤ１３Ｇ及び赤色ＬＥＤ１３Ｒに流す
パルス電流の幅を増やしていく。このようにすることで、緑色ＬＥＤ１３Ｇ及び赤色ＬＥ
Ｄ１３Ｒの光の輝度を当初設定されていた輝度に保持することができる。これにより、Ｒ
ＧＢの各色のＬＥＤ１３からの光が混光された白色光について、その輝度を当初設定され
ていた輝度に保持することができ、点灯時間の経過に対し、液晶表示パネル３０のホワイ
トバランスが崩れるのを抑えることができる。
【００６９】
[青色ＬＥＤの光の輝度の補正]
緑色ＬＥＤ１３Ｇ及び赤色ＬＥＤ１３Ｒの光の輝度を保持することで液晶表示パネル３
０のホワイトバランスの調整を行う代わりに、緑色ＬＥＤ１３Ｇ及び赤色ＬＥＤ１３Ｒの
光の輝度が減少するのに対し、青色ＬＥＤ１３Ｂの光の輝度も一定の割合で下げていくこ
とで、液晶表示パネル３０のホワイトバランスの調整を行うとすることもできる。
【００７０】
図１０は、本実施形態に係る照明装置１０を用いた場合におけるＲＧＢの各色のＬＥＤ
１３の点灯時間に対する輝度の変化を示すグラフである。
【００７１】
図１０のグラフにおいて、直線７３Ｒ、７３Ｇ、７３Ｂは、ＲＧＢの各色のＬＥＤ１３
から出光される光の輝度の変化を示し、直線７３ＲＧＢは、ＲＧＢの各色のＬＥＤ１３か
らの光が混光された白色光の輝度の変化を示している。
【００７２】
まず、ＬＥＤ駆動回路５１がＲＧＢの各色のＬＥＤ１３に定電流を供給する場合につい
て述べる。
【００７３】
本実施形態に係る照明装置１０では、ＬＥＤ駆動回路５１は、点灯時間に対し、青色Ｌ
ＥＤ１３Ｂに流す定電流の電流値を一定の割合で減少させることで、図１０の直線７３Ｂ
に示すように、青色ＬＥＤ１３Ｂの光の輝度も一定の割合で下がる。このとき、ＲＧＢの
各色のＬＥＤ１３からの光が混光された白色光の輝度は、直線７３ＲＧＢに示すように、
点灯時間の経過に従い低下するものの、ＲＧＢの各色のＬＥＤ１３からの光が混光された
白色光におけるＲＧＢの各色のＬＥＤ１３の光の割合は保持される。これにより、点灯時
間の経過に対し、液晶表示パネル３０のホワイトバランスが崩れるのを抑えることができ
る。この場合には、青色ＬＥＤ１３Ｂに流される定電流の電流値のみを減少させることと
なるので、緑色ＬＥＤ１３Ｇ及び赤色ＬＥＤ１３Ｒの光の輝度を保持する方法と比較して
、消費電力を減らすことができる。
【００７４】
次に、ＬＥＤ駆動回路５１がＲＧＢの各色のＬＥＤ１３にパルス電流を供給する場合に
ついて述べる。図１１は、本実施形態に係る照明装置１０における各色のＬＥＤ１３の駆
動シーケンスを示したタイミングチャートである。
【００７５】
この場合、本実施形態に係る照明装置１０では、ＬＥＤ駆動回路５１は、図１１の破線
８２Ｂの駆動シーケンスに示すように、点灯時間に対し、青色ＬＥＤ１３Ｂに流すパルス
電流の幅を一定の割合で減らしていくことで、図１０の直線７３Ｂに示すように、青色Ｌ
ＥＤ１３Ｂの光の輝度も一定の割合で下がる。これによっても、液晶表示パネル３０のホ
ワイトバランスが崩れるのを抑えることができ、緑色ＬＥＤ１３Ｇ及び赤色ＬＥＤ１３Ｒ
の光の輝度を保持する方法と比較して、消費電力を減らすことができる。
【００７６】
以上では、緑色ＬＥＤ１３Ｇと赤色ＬＥＤ１３Ｒの光の輝度の補正を行うことで液晶表
示パネルのホワイトバランスを調整する方法と、青色ＬＥＤ１３Ｂの光の輝度の補正を行
うことで液晶表示パネルのホワイトバランスを調整する方法について述べたが、このこと
から分かるように、本実施形態に係る照明装置１０では、ＬＥＤ駆動回路５１は、点灯時
間に対し、ＲＧＢの各色のＬＥＤ１３のうち、所定の色の光を発光するＬＥＤに供給する
定電流の電流値又はパルス電流の幅を、一定の割合で変化させることにより、液晶表示パ
ネル３０のホワイトバランスを調整する。このようにすることで、光センサや電流センサ
といった部品を用いなくても、経時変化に対し、簡単に液晶表示パネルのホワイトバラン
スを調整することができる。
【００７７】
また、照明装置１０におけるＲＧＢの各色のＬＥＤ１３からの光が混光された白色光自
体のホワイトバランスを調整する上でも、上述の方法を用いることができるのはいうまで
もない。
【００７８】
さらに、照明装置１０を、１つの表示画素がＲＧＢの着色層を夫々有する３色のサブ画
素より構成される一般的な液晶表示パネルを照明するのに用いても、上述の方法を用いる
ことで、当該一般的な液晶表示パネルのホワイトバランスを調整することができるのはい
うまでもない。
【００７９】
なお、本実施形態に係る照明装置１０では、ＲＧＢの３色のＬＥＤを用いることとして
いるが、これに限られるものではなく、更に他の色を追加して３色以上のＬＥＤを用いる
こととしても、本発明を適用することができるのはいうまでもない。
【００８０】
[輝度制御処理]
次に、本実施形態に係るＲＧＢの各色のＬＥＤ１３の光の輝度制御処理について述べる
。図１２、図１３は、本実施形態に係るＲＧＢの各色のＬＥＤ１３の光の輝度制御処理を
示すフローチャートである。
【００８１】
図１２は、緑色ＬＥＤ１３Ｇ及び赤色ＬＥＤ１３Ｒの光の輝度を補正する場合の輝度制
御処理を示すフローチャートである。
【００８２】
制御部５２は、ＲＧＢの各色のＬＥＤ１３の点灯時間を計測し（ステップＳ１１）、記
憶部５３に記憶する。記憶部５３は、ＲＧＢの各色のＬＥＤ１３の積算された点灯時間（
以下、単に「総点灯時間」と称す）を記憶している。従って、制御部５２は、本発明にお
ける点灯時間積算手段としても機能する。
【００８３】
記憶部５３は、さらに、複数の所定の総点灯時間に対し、ＲＧの各色のＬＥＤ１３の光
の輝度を一定に保持するのに必要な、緑色ＬＥＤ１３Ｇ及び赤色ＬＥＤ１３Ｒに流す定電
流の電流値の増加量又はパルス電流の幅の増加量が登録されているテーブルを有している
。
【００８４】
制御部５２は、積算された総点灯時間が、テーブルに登録されている所定の総点灯時間
に達しているか否かを判定する。（ステップＳ１２）。制御部５２は、積算された総点灯
時間が、テーブルに登録されている所定の総点灯時間に達していないと判定した場合には
、輝度制御処理を終了する（ステップＳ１２：Ｎｏ）。
【００８５】
制御部５２は、積算された総点灯時間がテーブルに登録されている所定の総点灯時間に
達していると判定した場合には（ステップＳ１２：Ｙｅｓ）、当該所定の総点灯時間に対
応する定電流の電流値の増加量又はパルス電流の幅の増加量を制御信号として緑色ＬＥＤ
駆動回路５１Ｇ及び赤色ＬＥＤ駆動回路５１Ｒに送信する。
【００８６】
緑色ＬＥＤ駆動回路５１Ｇ及び赤色ＬＥＤ駆動回路５１Ｒは、制御信号を受信すると、
緑色ＬＥＤ１３Ｇ及び赤色ＬＥＤ１３Ｒに流す定電流の電流値又はパルス電流の幅を、当
該所定の総点灯時間に対応する定電流の電流値の増加量又はパルス電流の幅の増加量の分
、増加させる（ステップＳ１３）。その後、制御部５２は、積算された総点灯時間が、テ
ーブルの最後の所定の総点灯時間、即ち、テーブルに登録されている所定の総点灯時間の
中で最も長い総点灯時間に達したか否かを判定し（ステップＳ１４）、達していなければ
、ステップＳ１１〜ステップＳ１３までの処理を繰り返し（ステップＳ１４：Ｎｏ）、達
していれば輝度制御処理を終了する（ステップＳ１４：Ｙｅｓ）。
【００８７】
図１３は、青色ＬＥＤ１３Ｂの光の輝度を補正する場合の輝度制御処理を示すフローチ
ャートである。
【００８８】
制御部５２は、ＲＧＢの各色のＬＥＤ１３の点灯時間を計測し（ステップＳ２１）、記
憶部５３に記憶する。記憶部５３は、ＲＧＢの各色のＬＥＤ１３の積算された総点灯時間
を記憶している。
【００８９】
記憶部５３は、さらに、複数の所定の総点灯時間に対し、液晶表示パネルのホワイトバ
ランスを保つために必要な、青色ＬＥＤ１３Ｂに流す定電流の電流値の減少量又はパルス
電流の幅の減少量が単位時間毎に登録されているテーブルを有している。
【００９０】
制御部５２は、積算された総点灯時間が、テーブルに登録されている所定の総点灯時間
に達しているか否かを判定する。（ステップＳ２２）。制御部５２は、積算された総点灯
時間がテーブルに登録されている所定の総点灯時間に達していないと判定した場合には、
輝度制御処理を終了する（ステップＳ２２：Ｎｏ）。
【００９１】
制御部５２は、総点灯時間がテーブルに登録されている所定の総点灯時間に達している
と判定した場合には（ステップＳ２２：Ｙｅｓ）、当該所定の総点灯時間に対応する定電
流の電流値の減少量又はパルス電流の幅の減少量を制御信号として青色ＬＥＤ駆動回路５
１Ｂに送信する。
【００９２】
青色ＬＥＤ駆動回路５１Ｂは、制御信号を受信すると、青色ＬＥＤ１３Ｂに流す定電流
の電流値又はパルス電流の幅を、当該所定の総点灯時間に対応する定電流の電流値の減少
量又はパルス電流の幅の減少量の分、減少させる（ステップＳ２３）。その後、制御部５
２は、積算された総点灯時間が、テーブルの最後の所定の総点灯時間、即ち、テーブルに
登録されている所定の総点灯時間の中で最も長い総点灯時間に達したか否かを判定し（ス
テップＳ２４）、達していなければ、ステップＳ２１〜ステップＳ２３までの処理を繰り
返し（ステップＳ２４：Ｎｏ）、達していれば輝度制御処理を終了する（ステップＳ２４
：Ｙｅｓ）。
【００９３】
上述した輝度制御処理を行うことにより、光センサや電流センサといった部品を用いな
くても、記憶部５３に記憶されたテーブルを用いるだけで、簡単に液晶表示パネルのホワ
イトバランスを調整することが可能となる。
【００９４】
また、総点灯時間を計測する方法としては、上述した方法を用いる代わりに、制御部５
２は、例えば、照明装置１０の一回の充電により可能な点灯持続時間に、その充電回数を
書けた値を総点灯時間として算出してもよい。これにより、制御部５２は、簡単な処理で
総点灯時間を算出することができる。
【００９５】
なお、上述したような輝度制御処理を行う代わりに、次に述べるような輝度制御処理を
行ってもよい。
【００９６】
まず、緑色ＬＥＤ１３Ｇ及び赤色ＬＥＤ１３Ｒの光の輝度を補正する場合について述べ
る。記憶部５３は、ＲＧの光の輝度を一定に保持するために必要な、単位時間当たりにお
ける、緑色ＬＥＤ１３Ｇ及び赤色ＬＥＤ１３Ｒに流す定電流の電流値の増加量又はパルス
電流の幅の増加量を記憶しておく。制御部５２は、ＲＧＢの各色のＬＥＤ１３の点灯時間
を計測する。制御部５２は、計測されたＬＥＤ１３の点灯時間が単位時間を経過するごと
に、緑色ＬＥＤ駆動回路５１Ｇ及び赤色ＬＥＤ駆動回路５１Ｒに対し夫々、記憶部５３に
記憶されている定電流の電流値の増加量又はパルス電流の幅の増加量を制御信号として送
信する。緑色ＬＥＤ駆動回路５１Ｇ及び赤色ＬＥＤ駆動回路５１Ｒは、制御信号を受信す
ると、緑色ＬＥＤ１３Ｇ及び赤色ＬＥＤ１３Ｒに流す定電流の電流値又はパルス電流の幅
を、記憶部５３に記憶されている定電流の電流値の増加量又はパルス電流の幅の増加量の
分だけ増加させる。
【００９７】
また、青色ＬＥＤ１３Ｂの光の輝度を補正する場合には、記憶部５３に、液晶表示パネ
ル３０のホワイトバランスを保持するために必要な、単位時間当たりにおける、青色ＬＥ
Ｄ１３Ｂに流す定電流の電流値の減少量又はパルス電流の幅の減少量を記憶しておく。制
御部５２は、ＲＧＢの各色のＬＥＤ１３の点灯時間を計測する。制御部５２は、計測され
たＬＥＤの点灯時間が単位時間を経過するごとに、青色ＬＥＤ駆動回路５１Ｂに対し、記
憶部５３に記憶されている定電流の電流値の減少量又はパルス電流の幅の減少量を制御信
号として送信する。青色ＬＥＤ駆動回路５１Ｂは、制御信号を受信すると、青色ＬＥＤ１
３Ｂに流す定電流の電流値又はパルス電流の幅を、記憶部５３に記憶されている定電流の
電流値の減少量又はパルス電流の幅の減少量の分だけ減少させる。
【００９８】
このような輝度制御処理を行うことにより、図１２、図１３で述べた輝度制御処理と較
べて、複数の所定の総点灯時間に対する定電流の電流値又はパルス電流の幅についての増
加量や減少量といった値をテーブルとして記憶部５３に記憶しておく必要も、制御部５２
が総点灯時間を積算する必要もなくなり、制御部５２は、処理をより簡単に行うことがで
きる。
【００９９】
［他の実施例］
上記の説明では、カラーフィルタとして機能する着色層の色（着色領域）としてＲ、Ｇ
１、Ｂ、Ｇ２を挙げて説明したが、本発明の適用はこれには限定されず、他の４色の着色
領域により１表示画素を構成することもできる。
【０１００】
具体的には、４色の着色領域は、波長に応じて色相が変化する可視光領域（３８０−７
８０ｎｍ）のうち、青系の色相の着色領域（「第１着色領域」とも呼ぶ。）、赤系の色相
の着色領域（「第２着色領域」とも呼ぶ。）と、青から黄までの色相の中で選択された２
種の色相の着色領域（「第３着色領域」、「第４着色領域」とも呼ぶ。）からなる。ここ
で「系」との語を用いているが、例えば青系であれば純粋の青の色相に限定されるもので
なく、青紫や青緑等を含むものである。赤系の色相であれば、赤に限定されるものでなく
橙を含む。また、これら着色領域は単一の着色層で構成されても良いし、複数の異なる色
相の着色層を重ねて構成されても良い。また、これら着色領域は色相で述べているが、当
該色相は、彩度、明度を適宜変更し、色を設定し得るものである。
【０１０１】
具体的な色相の範囲は、
・青系の色相の着色領域は、青紫から青緑であり、より好ましくは藍から青である。
・赤系の色相の着色領域は、橙から赤である。
・青から黄までの色相で選択される一方の着色領域は、青から緑であり、より好ましくは
青緑から緑である。
・青から黄までの色相で選択される他方の着色領域は、緑から橙であり、より好ましくは
緑から黄である。もしくは緑から黄緑である。
【０１０２】
ここで、各着色領域は、同じ色相を用いることはない。例えば、青から黄までの色相で
選択される２つの着色領域で緑系の色相を用いる場合は、他方は一方の緑に対して青系も
しくは黄緑系の色相を用いる。
【０１０３】
これにより、従来のＲＧＢの着色領域よりも広範囲の色再現性を実現することができる
。
【０１０４】
また、上記では４色の着色領域による広範囲の色再現性を色相で述べたが、他の具体的
な例として、着色領域を透過した光の波長で表現すると以下のようになる。
・青系の着色領域は、該着色領域を透過した光の波長のピークが４１５−５００ｎｍにあ
る着色領域、好ましくは、４３５−４８５ｎｍにある着色領域である。
・赤系の着色領域は、該着色領域を透過した光の波長のピークが６００ｎｍ以上にある着
色領域で、好ましくは、６０５ｎｍ以上にある着色領域である。
・青から黄までの色相で選択される一方の着色領域は、該着色領域を透過した光の波長の
ピークが４８５−５３５ｎｍにある着色領域で、好ましくは、４９５−５２０ｎｍにある
着色領域である。
・青から黄までの色相で選択される他方の着色領域は、該着色領域を透過した光の波長の
ピークが５００−５９０ｎｍにある着色領域、好ましくは５１０−５８５ｎｍにある着色
領域、もしくは５３０−５６５ｎｍにある着色領域である。
【０１０５】
この波長は、透過表示の場合は、照明装置からの照明光がカラーフィルタを通して得ら
れた数値である。反射表示の場合は、外光を反射して得られた数値である。
【０１０６】
他の具体的な例として、４色の着色領域をｘ、ｙ色度図で表現すると以下のようになる
。
・青系の着色領域は、ｘ≦0.151、ｙ≦0.200にある着色領域であり、好ましくは、0.134
≦ｘ≦0.151、0.034≦ｙ≦0.200にある着色領域である。
・赤系の着色領域は、0.520≦ｘ、ｙ≦0.360にある着色領域であり、好ましくは、0.550
≦ｘ≦0.690、0.210≦ｙ≦0.360にある着色領域である。
・青から黄までの色相で選択される一方の着色領域は、ｘ≦0.200、0.210≦ｙにある着色
領域であり、好ましくは、0.080≦ｘ≦0.200、0.210≦ｙ≦0.759にある着色領域である。
・青から黄までの色相で選択される他方の着色領域は、0.257≦ｘ、0.450≦ｙにある着色
領域であり、好ましくは、0.257≦ｘ≦0.520、0.450≦ｙ≦0.720にある着色領域である。
【０１０７】
このｘ、ｙ色度図は、透過表示の場合は、照明装置からの照明光がカラーフィルタを通
して得られた数値である。反射表示の場合は、外光を反射して得られた数値である。
【０１０８】
これら４色の着色領域は、サブ画素に透過領域と反射領域を備えた場合、透過領域及び
反射領域も上述した範囲で適用することができるものである。
【０１０９】
また、照明装置１０におけるＲＧＢ光源としては、以下のものが好ましい。
・Ｂは発光する光の波長のピークが４３５ｎｍ−４８５ｎｍにあるもの
・Ｇは発光する光の波長のピークが５２０ｎｍ−５４５ｎｍにあるもの
・Ｒは発光する光の波長のピークが６１０ｎｍ−６５０ｎｍにあるもの
そして、ＲＧＢ光源の波長によって、上記カラーフィルタを適切に選定すればより広範
囲の色再現性を得ることができる。
【０１１０】
上記の４色の着色領域の構成の例としては、具体的には以下のものがあげられる。
・色相が、赤、青、緑、青緑の着色領域
・色相が、赤、青、緑、黄の着色領域
・色相が、赤、青、深緑、黄の着色領域
・色相が、赤、青、エメラルド、黄の着色領域
・色相が、赤、青、深緑、黄緑の着色領域
・色相が、赤、青緑、深緑、黄緑の着色領域
[電子機器]
次に、本実施形態に係る液晶表示装置を電子機器の表示装置として用いる場合の実施形
態について説明する。
【０１１１】
本実施形態に係る液晶表示装置１００に入力される画像信号としては、例えば、Ｒ、Ｇ
１、Ｂ、Ｇ２の各色の画像信号が外部より直接入力されるとしても良いし、又は、ＲＧＢ
の各色の画像信号が外部より入力され、Ｒ、Ｇ１、Ｂ、Ｇ２の各色の画像信号に変換され
るとしても良い。
【０１１２】
ここで、液晶表示装置１００において、ＲＧＢの各色の画像信号がＲ、Ｇ１、Ｂ、Ｇ２
の各色の画像信号に変換される場合について述べる。
【０１１３】
図１４は、本実施形態の全体構成を示す概略構成の回路ブロック図である。ここに示す
電子機器は、上記の液晶表示装置１００と、制御手段６１０を有する。制御手段６１０は
、表示情報出力源６１１と、表示画像変換回路６１２と、タイミングジェネレータ６１４
とを有する。
【０１１４】
液晶表示装置１００において、入力されたＲＧＢの各色の画像信号がＲ、Ｇ１、Ｂ、Ｇ
２の各色の画像信号に変換される場合、表示画像変換回路６１２は、パーソナルコンピュ
ータなどの外部の表示画像出力源６１１より出力されたＲＧＢの各色の画像信号を、Ｒ、
Ｇ１、Ｂ、Ｇ２の各色の画像信号に変換して、液晶表示パネル３０に出力する機能を有す
る。
【０１１５】
表示画像変換回路６１２は、ＣＰＵ（Central Processing Unit）などの演算処理部６
１２ａと、ＲＡＭ（Random Access Memory）などの記憶部６１２ｂとを備えて構成されて
いる。演算処理部６１２ａは、表示画像出力源６１１より出力された入力画像のＲＧＢの
各色の画像信号６１Ｒ、６１Ｇ、６１Ｂを、Ｒ、Ｇ１、Ｂ、Ｇ２の各色の画像信号６２Ｒ
、６２Ｇ１、６２Ｂ、６２Ｇ２に変換する。記憶部６１２ｂには、所定の強度のＲＧＢの
各色の画像信号と、これに対応する強度のＲ、Ｇ１、Ｂ、Ｇ２の各色の画像信号とを対応
させたＬＵＴ（Look Up Table）が設けられている。例えば、演算処理部６１２ａに、Ｇ
２の色を表示させるＲＧＢの各色の画像信号、例えば、Ｒ＝０、Ｇ＝１００、Ｂ＝１００
の強度のＲＧＢの各色の画像信号が入力された場合、演算処理部６１２ａは、このＲＧＢ
の各色の画像信号の強度に対応する強度のＲ、Ｇ１、Ｂ、Ｇ２の各色の画像信号（例えば
、Ｒ＝０、Ｇ１＝１０、Ｂ＝１０、Ｇ２＝１００）を、記憶部６１２ｂのＬＵＴより取得
し、取得したＲ、Ｇ１、Ｂ、Ｇ２の各色の画像信号を液晶表示パネル３０へ出力する。こ
れにより、液晶表示パネル３０の表示画面に、ＲＧＢの各色だけでなく、Ｇ２の色を表示
することができる。このようにすることで、入力画像の画像信号として、ＲＧＢの画像信
号が入力された場合においても、出力画像の色再現範囲をＧ２の色再現範囲に拡大するこ
とができる。
【０１１６】
タイミングジェネレータ６１４は、タイミングモードを切り替えるためのハードスイッ
チ又はソフトスイッチを有し、画像信号の輝度信号よりクロック信号ＣＬＫを生成する。
先に述べたＲＧＢの各色のＬＥＤ駆動回路５１は、タイミングジェネレータ６１４により
決定されたクロック信号ＣＬＫに適合するように、駆動シーケンスが制御される。
【０１１７】
次に、本実施形態に係る液晶表示装置１００を適用可能な電子機器の具体例について図
１５を参照して説明する。
【０１１８】
まず、本発明に係る液晶表示装置１００を、可搬型のパーソナルコンピュータ（いわゆ
るノート型パソコン）の表示部に適用した例について説明する。図１５（ａ）は、このパ
ーソナルコンピュータの構成を示す斜視図である。同図に示すように、パーソナルコンピ
ュータ７１０は、キーボード７１１を備えた本体部７１２と、本発明に係る液晶表示装置
１００を適用した表示部７１３とを備えている。
【０１１９】
続いて、本発明に係る液晶表示装置１００を、携帯電話機の表示部に適用した例につい
て説明する。図１５（ｂ）は、この携帯電話機の構成を示す斜視図である。同図に示すよ
うに、携帯電話機７２０は、複数の操作ボタン７２１のほか、受話口７２２、送話口７２
３とともに、本発明に係る液晶表示装置１００を適用した表示部７２４を備える。
【０１２０】
なお、本発明に係る液晶表示装置１００を適用可能な電子機器としては、図１５（ａ）
に示したパーソナルコンピュータや図１５（ｂ）に示した携帯電話機の他にも、液晶テレ
ビ、ビューファインダ型・モニタ直視型のビデオテープレコーダ、カーナビゲーション装
置、ページャ、電子手帳、電卓、ワードプロセッサ、ワークステーション、テレビ電話、
ＰＯＳ端末、ディジタルスチルカメラなどが挙げられる。
【図面の簡単な説明】
【０１２１】
【図１】本実施形態に係る液晶表示装置の平面図である。
【図２】本実施形態に係る液晶表示装置の断面図である。
【図３】本実施形態に係る照明装置１０の平面図である。
【図４】本実施形態に係る照明装置の光源部の模式図である。
【図５】本実施形態に係るＬＥＤ駆動回路の回路図である。
【図６】一般的な照明装置のＲＧＢのＬＥＤの点灯時間に対する輝度の変化を示す図。
【図７】色再現範囲を示した国際照明委員会（ＣＩＥ）の色度図である。
【図８】本発明の照明装置のＲＧＢのＬＥＤの点灯時間に対する輝度の変化を示す図。
【図９】ＬＥＤの駆動シーケンスを示したタイミングチャートである。
【図１０】本発明の照明装置のＲＧＢのＬＥＤの点灯時間に対する輝度の変化を示す図。
【図１１】ＬＥＤの駆動シーケンスを示したタイミングチャートである。
【図１２】本実施形態に係る輝度制御処理を示すフローチャートである。
【図１３】本実施形態に係る輝度制御処理を示すフローチャートである。
【図１４】本実施形態に係る液晶表示装置を適用した電子機器の回路ブロック図。
【図１５】本実施形態の液晶表示装置を適用した電子機器の例を示す図である。
【符号の説明】
【０１２２】
１２  光源部、  １３  ＬＥＤ、  １０  照明装置、  ３０  液晶表示パネル、  １０
０  液晶表示装置
【図１】
2007133123.tif 000003
【図２】
2007133123.tif 000004
【図３】
2007133123.tif 000005
【図４】
2007133123.tif 000006
【図５】
2007133123.tif 000007
【図６】
2007133123.tif 000008
【図７】
2007133123.tif 000009
【図８】
2007133123.tif 000010
【図９】
2007133123.tif 000011
【図１０】
2007133123.tif 000012
【図１１】
2007133123.tif 000013
【図１２】
2007133123.tif 000014
【図１３】
2007133123.tif 000015
【図１４】
2007133123.tif 000016
【図１５】
2007133123.tif 000017